(57)【特許請求の範囲】
【請求項１】
カラオケ楽曲を再生可能な楽曲再生手段と、
前記楽曲再生手段における前記カラオケ楽曲の再生と連動して、対応する背景映像を表示可能な、１つの第１表示領域と、
所望の動画を取得する動画取得手段と、
前記楽曲再生手段で再生する前記カラオケ楽曲の予約操作を受け付ける予約受付手段と、
前記予約受付手段により前記予約操作が受け付けられた場合に、その予約を受け付けた前記カラオケ楽曲が特定の背景分離禁止曲であるかそれ以外の背景分離許容曲であるかを判定する楽曲判定手段と、
前記楽曲判定手段により前記背景分離許容曲であると判定された場合には、当該背景分離許容曲に連動して前記第１表示領域に表示される設定の背景映像に代えて、前記動画取得手段により取得された前記動画を当該背景分離許容曲の再生開始後に前記第１表示領域で表示するとともに、前記楽曲判定手段により前記背景分離禁止曲であると判定された場合には、当該背景分離禁止曲の再生開始後に、当該背景分離禁止曲に連動して前記背景映像を前記第１表示領域に表示しつつ、前記動画取得手段により取得された前記動画を、前記第１表示領域とは別に設けられる第２表示領域で表示するように、表示制御を行う表示制御手段と、
を有する
ことを特徴とするカラオケシステム。
【請求項２】
請求項１記載のカラオケシステムにおいて、
前記第１表示領域は、メインディスプレイに備えられており、
前記第２表示領域は、
（ｉ）前記メインディスプレイにおいて画面分割により前記第１表示領域とは異なる位置に振り分けられた表示領域；
（ｉｉ）前記メインディスプレイとは別に設けられたサブディスプレイに備えられる表示領域；
（ｉｉｉ）前記カラオケ楽曲の前記予約操作をする予約端末に備えられる表示領域；
のうち少なくとも１つである
ことを特徴とするカラオケシステム。
【請求項３】
請求項２記載のカラオケシステムにおいて、
前記楽曲判定手段により前記背景分離禁止曲であると判定された場合に、前記動画を表示できる前記第２表示領域として、前記メインディスプレイの画面分割による表示領域、前記サブディスプレイの表示領域、前記予約端末の表示領域、のいずれを使用できるかを特定する特定手段を有する
ことを特徴とするカラオケシステム。
【請求項４】
請求項３記載のカラオケシステムにおいて、
前記特定手段の特定結果に基づく、前記第２表示領域として使用する表示領域に関するユーザの選択を受け付ける選択受付手段と、
前記楽曲判定手段により前記背景分離禁止曲であると判定されたときに、前記選択受付手段が前記ユーザの選択を受け付けていた場合は前記楽曲再生手段による当該背景分離禁止曲の再生を可能とし、前記選択受付手段が前記ユーザの選択を受け付けていない場合は前記楽曲再生手段による当該背景分離禁止曲の再生を禁止する、再生制御手段と、
を有することを特徴とするカラオケシステム。
【請求項５】
カラオケ楽曲を再生可能な楽曲再生手段と、前記楽曲再生手段における前記カラオケ楽曲の再生と連動して、対応する背景映像を表示可能な、１つの第１表示領域と、を有するカラオケシステムが実行する動画表示方法であって、
所望の動画を取得する動画取得手順と、
前記楽曲再生手段で再生する前記カラオケ楽曲の予約操作を受け付ける予約受付手順と、
前記予約受付手順により前記予約操作が受け付けられた場合に、その予約された前記カラオケ楽曲が特定の背景分離禁止曲であるかそれ以外の背景分離許容曲であるかを判定する楽曲判定手順と、
前記楽曲判定手順で前記背景分離許容曲であると判定された場合には、当該背景分離許容曲に連動して前記第１表示領域に表示される設定の背景映像に代えて、前記動画取得手順で取得された前記動画を当該背景分離許容曲の再生開始後に前記第１表示領域で表示するとともに、前記楽曲判定手順で前記背景分離禁止曲であると判定された場合には、当該背景分離禁止曲の再生開始後に、当該背景分離禁止曲に連動して前記背景映像を前記第１表示領域に表示しつつ、前記動画取得手順で取得された前記動画を、前記第１表示領域とは別に設けられる第２表示領域で表示するように、表示制御を行う表示制御手順と、
を有することを特徴とする動画表示方法。
【請求項６】
カラオケ楽曲を再生する楽曲再生手段と、前記楽曲再生手段における前記カラオケ楽曲の再生と連動して対応する背景映像を表示する１つの第１表示領域と、を備えたカラオケ装置に対し予約操作可能に接続され、表示手段と、通信手段と、制御手段と、を有する予約端末の前記制御手段に対し、
前記予約操作によって予約された前記カラオケ楽曲が特定の背景分離禁止曲である場合、前記背景分離禁止曲に連動して背景映像が表示される前記第１表示領域とは別に設けられる、所望の動画を表示するための第２表示領域の選択を促す画面を、前記カラオケ装置から送られる情報に従って前記表示手段に表示する選択画面表示手順と、
前記選択画面表示手順での選択結果を、前記通信手段を介し前記カラオケ装置に送信する選択結果送信手順と、
を実行させるための、動画表示制御プログラム。
【発明の詳細な説明】
【技術分野】
【０００１】
本発明は、ユーザの所有する所望の動画を表示できるカラオケシステム、動画表示方法、及び、動画表示制御プログラムに関する。
【背景技術】
【０００２】
カラオケ装置においては、カラオケ楽曲が再生されると、それに連動して、対応する背景映像が適宜のディスプレイに表示される。例えば特許文献１記載の従来技術では、カラオケ動作モードに応じて、表示・非表示の切り替えや、分割表示への切り替えを行う構成が開示されている。
【先行技術文献】
【特許文献】
【０００３】
【特許文献１】特開平１０−２６０６９１号公報
【発明の概要】
【発明が解決しようとする課題】
【０００４】
近年、例えば携帯端末等に記憶されたユーザの所望の動画をカラオケ装置に送信し、上記カラオケ楽曲の再生時に、上記背景映像に代えて、その送信した動画をディスプレイに表示させるサービスが考えられつつある。しかしながら、カラオケ装置において再生される多数のカラオケ楽曲の中には、事前の取り決めにより、カラオケ楽曲の再生と対応する背景映像の表示とが予め一体不可分に連動しているもの（すなわち背景映像の表示をカラオケ楽曲の再生と分離して行うことができないもの）が含まれる場合がある。このようなカラオケ楽曲（以下適宜、「背景分離禁止曲」と称する）の場合には、せっかくユーザが上記動画をカラオケ装置に送信したとしても、そのままでは当該動画を表示させることができず、不便である。
【０００５】
本発明の目的は、再生するカラオケ楽曲が背景分離禁止曲であっても、ユーザが所望する動画を表示させて楽しむことができるカラオケシステム、動画表示方法、及び、動画表示制御プログラムを提供することにある。
【課題を解決するための手段】
【０００６】
上記目的を達成するために、第１の発明は、カラオケ楽曲を再生可能な楽曲再生手段と、前記楽曲再生手段における前記カラオケ楽曲の再生と連動して、対応する背景映像を表示可能な、１つの第１表示領域と、所望の動画を取得する動画取得手段と、前記楽曲再生手段で再生する前記カラオケ楽曲の予約操作を受け付ける予約受付手段と、前記予約受付手段により前記予約操作が受け付けられた場合に、その予約を受け付けた前記カラオケ楽曲が特定の背景分離禁止曲であるかそれ以外の背景分離許容曲であるかを判定する楽曲判定手段と、前記楽曲判定手段により前記背景分離許容曲であると判定された場合には、当該背景分離許容曲に連動して前記第１表示領域に表示される設定の背景映像に代えて、前記動画取得手段により取得された前記動画を当該背景分離許容曲の再生開始後に前記第１表示領域で表示するとともに、前記楽曲判定手段により前記背景分離禁止曲であると判定された場合には、当該背景分離禁止曲の再生開始後に、当該背景分離禁止曲に連動して前記背景映像を前記第１表示領域に表示しつつ、前記動画取得手段により取得された前記動画を、前記第１表示領域とは別に設けられる第２表示領域で表示するように、表示制御を行う表示制御手段と、を有することを特徴とする。
【０００７】
本願発明のカラオケシステムでは、ユーザが所有する所望の動画を、カラオケ楽曲の再生時に併せて表示させることができる。すなわち、ユーザが例えば操作端末を用いて所望の動画を送信すると、その動画が動画取得手段で取得される。そして、ユーザが（例えば予約端末を用いて）再生したいカラオケ楽曲の予約操作を行うと、その予約が予約受付手段で受け付けられる。その後、楽曲判定手段により、上記予約を受け付けたカラオケ楽曲が、特定の背景分離禁止曲（カラオケ楽曲の再生と対応する背景映像の表示とが予め一体不可分に連動しているもの）であるかそれ以外の背景分離許容曲であるかが判定される。
【０００８】
上記背景分離許容曲である場合には、（カラオケ楽曲の再生と対応する背景映像の表示とが分離可能であって当該背景映像と異なる映像を再生可能であることから）、当該背景分離許容曲の再生開始後に、もともと第１表示領域に表示されるように設定されている上記背景映像に代え、上記動画取得手段で取得済みの上記ユーザの所望の動画が第１表示領域において表示される。
【０００９】
一方、上記背景分離禁止曲の場合には、上記とは異なり、カラオケ楽曲の再生と対応する背景映像の表示とが分離不可能であり、そのままでは、上記動画を再生することができなくなる。そこで、本願発明においては、表示制御手段の表示制御に基づき、当該背景分離禁止曲の再生開始後に、第１表示領域において上記背景映像を表示しつつ、第１表示領域とは別に設けられる第２表示領域において、上記動画取得手段で取得された上記ユーザの所望の動画が表示される。
【００１０】
これにより、予約するカラオケ楽曲が背景分離許容曲であっても背景分離禁止曲であっても、ユーザは、カラオケ楽曲の再生時に自らが所望する動画を併せて表示させて楽しむことができる。この結果、ユーザにとっての利便性を向上することができる。
【００１１】
第２発明は、上記第１発明において、前記第１表示領域は、メインディスプレイに備えられており、前記第２表示領域は、（ｉ）前記メインディスプレイにおいて画面分割により前記第１表示領域とは異なる位置に振り分けられた表示領域；（ｉｉ）前記メインディスプレイとは別に設けられたサブディスプレイに備えられる表示領域；（ｉｉｉ）前記カラオケ楽曲の前記予約操作をする予約端末に備えられる表示領域；のうち少なくとも１つであることを特徴とする。
【００１２】
これにより、背景分離禁止曲の再生中において、メインディスプレイを画面分割することで新たに設けた表示領域か、サブディスプレイか、予約端末か、において、ユーザの所望の動画を表示させることができる。
【００１３】
第３発明は、上記第２発明において、前記楽曲判定手段により前記背景分離禁止曲であると判定された場合に、前記動画を表示できる前記第２表示領域として、前記メインディスプレイの画面分割による表示領域、前記サブディスプレイの表示領域、前記予約端末の表示領域、のいずれを使用できるかを特定する特定手段を有することを特徴とする。
【００１４】
これにより、上記のようにしてユーザの所望の動画を表示させる際に、どの表示領域が使用できるかを特定することができる。
【００１５】
第４発明は、上記第３発明において、前記特定手段の特定結果に基づく、前記第２表示領域として使用する表示領域に関するユーザの選択を受け付ける選択受付手段と、前記楽曲判定手段により前記背景分離禁止曲であると判定されたときに、前記選択受付手段が前記ユーザの選択を受け付けていた場合は前記楽曲再生手段による当該背景分離禁止曲の再生を可能とし、前記選択受付手段が前記ユーザの選択を受け付けていない場合は前記楽曲再生手段による当該背景分離禁止曲の再生を禁止する、再生制御手段と、を有することを特徴とする。
【００１６】
これにより、上記のようにして第２表示領域としてユーザの所望の動画を表示させる表示領域の候補が複数あった場合に、どの表示領域を使用するかをユーザが選択することができる。そして、その選択をしない限り、背景分離禁止曲である当該カラオケ楽曲の再生を行わないようにすることができる。
【００１７】
上記目的を達成するために、第５発明は、カラオケ楽曲を再生可能な楽曲再生手段と、前記楽曲再生手段における前記カラオケ楽曲の再生と連動して、対応する背景映像を表示可能な、１つの第１表示領域と、を有するカラオケシステムが実行する動画表示方法であって、所望の動画を取得する動画取得手順と、前記楽曲再生手段で再生する前記カラオケ楽曲の予約操作を受け付ける予約受付手順と、前記予約受付手順により前記予約操作が受け付けられた場合に、その予約された前記カラオケ楽曲が特定の背景分離禁止曲であるかそれ以外の背景分離許容曲であるかを判定する楽曲判定手順と、前記楽曲判定手順で前記背景分離許容曲であると判定された場合には、当該背景分離許容曲に連動して前記第１表示領域に表示される設定の背景映像に代えて、前記動画取得手順で取得された前記動画を当該背景分離許容曲の再生開始後に前記第１表示領域で表示するとともに、前記楽曲判定手順で前記背景分離禁止曲であると判定された場合には、当該背景分離禁止曲の再生開始後に、当該背景分離禁止曲に連動して前記背景映像を前記第１表示領域に表示しつつ、前記動画取得手順で取得された前記動画を、前記第１表示領域とは別に設けられる第２表示領域で表示するように、表示制御を行う表示制御手順と、を有することを特徴とする。
【００１８】
上記目的を達成するために、第６発明は、カラオケ楽曲を再生する楽曲再生手段と、前記楽曲再生手段における前記カラオケ楽曲の再生と連動して対応する背景映像を表示する１つの第１表示領域と、を備えたカラオケ装置に対し予約操作可能に接続され、表示手段と、通信手段と、制御手段と、を有する予約端末の前記制御手段に対し、前記予約操作によって予約された前記カラオケ楽曲が特定の背景分離禁止曲である場合、前記背景分離禁止曲に連動して背景映像が表示される前記第１表示領域とは別に設けられる、所望の動画を表示するための第２表示領域の選択を促す画面を、前記カラオケ装置から送られる情報に従って前記表示手段に表示する選択画面表示手順と、前記選択画面表示手順での選択結果を、前記通信手段を介し前記カラオケ装置に送信する選択結果送信手順と、を実行させる。
【発明の効果】
【００１９】
本発明によれば、再生するカラオケ楽曲が背景分離禁止曲であっても、ユーザが所望する動画を表示させて楽しむことができる。
【図面の簡単な説明】
【００２０】
【図１】本発明の第１実施形態に係わるカラオケシステムの概略構成を表す図である。
【図２】カラオケ装置の制御系を表す機能ブロック図である。
【図３】背景分離許容曲の再生時の表示態様の変化を表す説明図である。
【図４】背景分離禁止曲の再生時の表示態様の変化を表す説明図である。
【図５】背景分離禁止曲の再生時の動画表示の別の例を表す説明図である。
【図６】背景分離禁止曲の再生時の動画表示の別の例を表す説明図である。
【図７】操作端末、カラオケ装置、メインディスプレイ、サブディスプレイ、及びリモコンが協働して実行する処理の流れを表すシーケンス図である。
【図８】操作端末に表示される、動画表示先の選択画面を表す説明図である。
【図９】本発明の第２実施形態における、操作端末、カラオケ装置、メインディスプレイ、サブディスプレイ、及びリモコンが協働して実行する処理の流れを表すシーケンス図である。
【図１０】リモコン装置における予約画面を表す説明図である。
【図１１】リモコン装置に表示される、動画表示先を選択するためのウィンドウを表す説明図である。
【発明を実施するための形態】
【００２１】
以下、本発明の実施の形態について、図面を参照しつつ説明する。
【００２２】
本発明の第１実施形態を図１〜図８により説明する。
【００２３】
＜概略構成＞
図１に示すように、本実施形態のカラオケシステム１は、メインディスプレイ１６Ａを備えたカラオケ装置１０と、サブディスプレイ１６Ｂと、リモコン装置６０（予約端末に相当）と、例えばスマートフォンなどの携帯電話機やタブレット端末やＰＣ等からなる操作端末３０と、を有しており、この例では、カラオケ店舗の部屋Ｒに設けられている。カラオケ装置１０と操作端末３０とは例えば無線ＬＡＮなどの無線通信を介し接続されており、カラオケ装置１０とリモコン装置６０とは例えば赤外線通信（但し無線ＬＡＮなどの無線通信であってもよい）を介し接続されており、互いに各種の情報やデータを送受する。
【００２４】
＜制御系＞
次に、図２を用いてカラオケ装置１０の制御系の主要構成について説明する。カラオケ装置１０は、装置筺体１１に、有線ＬＡＮ回線１２を接続する通信端子１３と、アンプ１４の音声入力端子と接続される音声出力端子１５と、上記メインディスプレイ１６Ａ及びサブディスプレイ１６Ｂの映像入力端子とそれぞれ接続される映像出力端子１７ａ，１７ｂと、を備えている。
【００２５】
アンプ１４は、マイクロフォン１８（図１も参照）から入力される音声信号及び曲の再生信号のミキシングを行うミキシング回路（ＭＩＸ回路）１９を備え、音声と曲との音量バランス、エコー調整、デレィ調整、ミキシング信号の増幅、再生される曲の音程制御、高音、低音の制御などを行う。このアンプ１４から出力される増幅信号は、音としてスピーカ２０から発音される。
【００２６】
また、カラオケ装置１０には、制御プログラムにしたがって各種制御を実行するＣＰＵ２１が設けられている。ＣＰＵ２１には、リモコン装置６０や操作端末３０から送信される各種情報・データなどを一時保存するためのＲＡＭ２２と、ＣＰＵ２１により実行されるプログラム及び必要なデータテーブルなどが記憶されたＲＯＭ２３とが接続されている。また、ＣＰＵ２１には、メインディスプレイ１６Ａ及びサブディスプレイ１６に（さらには必要に応じてリモコン装置６０に；詳細は後述）歌詞テロップや各種メッセージ映像を表示するための文字映像データが記憶されたビデオＲＡＭ２４と、外部のサーバ２５から送信される楽曲データ、歌詞データ、及び映像データなどの各種データを通信端子１３及び有線ＬＡＮ回線１２を介して受信するための有線ＬＡＮ制御部２６と、この有線ＬＡＮ制御部２６により受信される楽曲データ及び動画データ等を保存するためのＨＤＤ２７とが接続されている。ＨＤＤ２７には、背景映像を示す背景映像データも保存（記憶）されている。
【００２７】
さらに、ＣＰＵ２１には、ＨＤＤ２７から読み出された曲データに含まれるＭＩＤＩデータを入力するとともに、その入力されたＭＩＤＩデータにより指定される音源から音源信号を出力するＭＩＤＩ音源ボード２８が接続されている。また、ＣＰＵ２１には、上記出力された音源信号を入力してアンプ１４により増幅可能な信号に変換する音声制御回路２９が接続されている。なお、上記ＭＩＤＩ音源接続ボード２８、音声制御回路２９、ミキシング回路１９、スピーカ２０が、各請求項記載の楽曲再生手段として機能する。
【００２８】
また、ＣＰＵ２１には、サーバ２５から受信した上記動画データ等を映像出力端子１７を介してメインディスプレイ１６Ａ及びサブディスプレイ１６に（さらには必要に応じてリモコン装置６０に；詳細は後述）に表示するための映像制御を行う映像制御回路３１が接続されている。
【００２９】
さらに、ＣＰＵ２１には、カラオケ装置１０の装置筺体１１に設けられたアンテナ３２（図１も参照）を介して上記操作端末３０の通信制御部（図示省略）と無線通信により情報送受するための無線ＬＡＮ制御部３３が接続されている。この無線ＬＡＮ制御部３３には、送信部３３ａと受信部３３ｂが備えられている。
【００３０】
本実施例では、アンテナ３２及び無線ＬＡＮ制御部３３は、装置筐体１１に内蔵されている。他の無線通信の形態としては、アンテナ３２及び無線ＬＡＮ制御部３３を、無線ＬＡＮのアクセスポイントとして装置筐体１１の外部に設置し、カラオケ装置１０側に有線ＬＡＮインタフェースを設け、上記アクセスポイントとカラオケ装置１０とを有線ＬＡＮで接続することで、操作端末３０とカラオケ装置１０との無線通信を、アクセスポイントを介した無線ＬＡＮ通信を行う。更に、リモコン６０とカラオケ装置１０との無線通信も上記アクセスポイントを介した無線ＬＡＮ通信で行う場合もある。
【００３１】
また、ＣＰＵ２１には、カラオケ装置１０の筺体に設けられた各種ボタン・キー３４（テンキー、選曲ボタン等）を押したときに点灯するＬＥＤ３５へ表示信号を出力する表示回路３６と、上記各種ボタン、キー３４を押したときに発生するスイッチング信号を入力する入力回路３７とが接続されている。
【００３２】
さらに、ＣＰＵ２１には、カラオケ装置１０の装置筺体１１に設けられた受光部３８を介して上記リモコン装置６０の通信制御部（通信手段に相当。図示省略）と赤外通信により情報受信するための変換回路３９が接続されている。なお、リモコン装置６０は、カラオケシステム１における専用の機器として構成してもよいが、同等の機能構成を有するスマートフォン等の携帯端末を利用してもよい。この場合には、あらかじめ当該携帯端末にリモコン装置６０と同等の機能を実現するアプリケーションプログラムをインストールしておく必要がある。
【００３３】
＜動画表示サービス＞
上記構成のカラオケシステム１において、カラオケ装置１０によりカラオケ楽曲が再生されると、それに連動して対応する背景映像及び歌詞が上記メインディスプレイ１６Ａに表示され、ユーザは当該表示を見ながらマイクロフォン１８を用いて歌唱を楽しむことができる。このとき、本実施形態では、上記携帯端末３０に予め記憶されたユーザの所望の動画をカラオケ装置１０に送信し、上記カラオケ楽曲の再生時に、上記背景映像に代えて、その送信した動画をメインディスプレイ１６Ａに表示させることができる。
【００３４】
しかしながら、カラオケ装置１０において再生される多数のカラオケ楽曲の中には、事前の取り決めにより、カラオケ楽曲の再生と対応する背景映像の表示とが予め一体不可分に連動しているもの（すなわち背景映像の表示をカラオケ楽曲の再生と分離して行うことができないもの）が含まれる場合がある。このようなカラオケ楽曲（以下適宜、「背景分離禁止曲」と称する）の場合には、せっかくユーザが上記動画をカラオケ装置１０に送信したとしても、そのままでは当該動画を表示させることができず、不便である。
【００３５】
＜本実施形態の動画表示手法＞
そこで、本実施形態では、上記背景分離禁止曲が再生されている場合には、通常とは異なる表示制御手法により、背景分離禁止曲に対し一体不可分とされている背景映像の表示は維持しつつ、上記ユーザから送信された動画の表示も併せて行う。以下、その手法の詳細図３〜図６を用いて説明する。
【００３６】
＜背景分離許容曲の場合の表示＞
まず、上記背景分離禁止曲とは異なり、楽曲の再生と対応する背景映像の表示とが分離可能であって当該背景映像と異なる映像を再生可能であるカラオケ楽曲（以下適宜、「背景分離許容曲」と称する）の場合の表示態様を図３により説明する。
【００３７】
例えば図３（ａ）に、上記背景分離許容曲の再生時における上記メインディスプレイ１６Ａの表示例を示す。この例では、メインディスプレイ１６Ａに、上記背景分離許容曲に対応づけられた背景映像Ｍ１（家族連れのドライブ風景）が、「道路は続くよ  どこまでも  ランランラン」の歌詞Ｌ１とともに表示されている。このような表示中に、例えば上記操作端末３０からユーザの所望の動画Ｄ１を転送すると、図３（ｂ）に示すように、上記メインディスプレイ１６Ａにおいて、上記背景映像Ｍ１に差し代わる形で、上記動画Ｄ１が上記歌詞Ｌ１とともに表示される。
【００３８】
＜背景分離禁止曲の場合の表示＞
次に、図４（ａ）に、上記背景分離禁止曲の再生時における上記メインディスプレイ１６Ａの表示例を示す。この例では、メインディスプレイ１６Ａの全面領域（第１表示領域に相当）に、上記背景分離禁止曲に対応づけられた背景映像Ｍ２（男性ミュージシャンのライブでの歌唱風景）が、「忘れて  君の涙は  もう見たくない」の歌詞Ｌ２とともに表示されている。このような表示中に、例えば上記操作端末３０からユーザの所望の動画Ｄ１を転送すると、（上記図３の例とは異なり）背景分離禁止曲であることに対応して、図４（ｂ）に示すように、上記メインディスプレイ１６Ａが２つの画面領域に分割される。そして、その分割された２領域のうちの一方（この例では左側）に振り分けられた領域（第２表示領域に相当）に上記動画Ｄ１が表示されると共に、２領域のうちの他方（この例では右側）に振り分けられた領域（第１表示領域に相当）に、引き続き上記背景映像Ｍ２が表示される。なお、この例では、上記歌詞Ｌ２は、上記動画Ｄ１及び背景映像Ｍ２の下方に別途表示されているが、動画Ｄ１や背景映像Ｍ２に重ねて表示してもよい。
【００３９】
＜他の表示態様＞
本実施形態では、上記図４（ａ）及び図４（ｂ）のように、メインディスプレイ１６Ａを分割して背景映像Ｍ２及び動画Ｄ１を併せて表示したが、これに限られない。すなわち、ユーザの選択（後述）に応じて、図５に示すように、上記メインディスプレイ１６Ａの全面領域（第１表示領域に相当）に表示された背景映像Ｍ２はそのまま維持しつつ、サブディスプレイ１６Ｂの表示領域（第２表示領域に相当）に上記動画Ｄ１を表示することもでき、さらに、図６に示すように、メインディスプレイ１６Ａの全面領域（第１表示領域に相当）に表示された背景映像Ｍ２はそのまま維持しつつ、上記リモコン６０の適宜の表示領域（第２表示領域に相当）に上記動画Ｄ１を表示することもできる。
【００４０】
＜処理の流れの詳細＞
上記の手法を実現するために、上記操作端末３０、カラオケ装置１０、メインディスプレイ１６Ａ、サブディスプレイ１６Ｂ、及びリモコン６０が協働して実行する処理の流れを、図７のシーケンス図に示す。なお、図示のシーケンスは、操作端末３０に備えられたＲＯＭ・ＲＡＭ・ＥＥＰＲＯＭ等（図示省略）に記憶された制御プログラムが操作端末３０のＣＰＵ（図示省略）で実行され、カラオケ装置１０の上記ＲＯＭ２３に記憶された制御プログラムが上記ＣＰＵ２１で実行され、さらにリモコン６０に備えられたＲＯＭ・ＲＡＭ・ＥＥＰＲＯＭ等（図示省略）に記憶された制御プログラムがリモコン６０のＣＰＵ（図示省略）で実行されることによって、行われる。
【００４１】
図７において、まずステップＳＢ１でカラオケ装置１０において（既に予約済みであった）カラオケ楽曲の再生が開始されると、これに連動してステップＳＣ１においてメインディスプレイ１６Ａにおいて対応する背景映像（上記の例では背景映像Ｍ１又はＭ２）の表示が開始される。この再生・表示中に、ユーザが、上記操作端末３０の適宜の操作により、操作端末３０の上記ＥＥＰＲＯＭ等に記憶した所望の動画（上記の例では動画Ｄ１）の再生を希望するリクエスト（再生要求に相当）をカラオケ装置１０に送信すると（ステップＳＡ１）、そのリクエストがカラオケ装置１０（詳細には上記ＣＰＵ２１。以下同様）によって受け付けられる。その後、再生中のカラオケ楽曲が上記背景分離禁止曲であるか、上記背景分離許容曲であるか否かが、カラオケ装置１０によって判定される（ステップＳＢ２）。各カラオケ楽曲が上記２つのいずれに該当するかは、予め決定され、カラオケ装置１０の適宜の箇所に記憶されている。
【００４２】
再生中のカラオケ楽曲が前述したような背景分離禁止曲であった場合は、ステップＳＢ２の判定が満たされ、カラオケ装置１０から操作端末３０へ、「背景分離禁止曲の再生中である」旨の通知が出力される（ステップＳＢ３）。その後、前述のようにして動画の表示を行うための準備処理として、上記リモコン６０に対し（当該カラオケ装置１０と）正しく接続されている状態であるかの問い合わせが行われ、その回答が受信される（ステップＳＢ４）。同様に、上記サブディスプレイ１６Ｂに対し（当該カラオケ装置１０と）正しく接続されている状態であるかの問い合わせが行われ、その回答が受信される（ステップＳＢ５）。さらに同様に、上記メインディスプレイ１６Ａに対し（当該カラオケ装置１０と）正しく接続されている状態であるかの問い合わせが行われ、その回答が受信される（ステップＳＢ６）。これにより、例えばリモコン６０の上記表示領域やサブディスプレイ１６Ｂの上記領域が後に送信されてくる動画の表示先として使用できるか否か、さらにはメインディスプレイ１６Ａにおいて上述の画面分割による表示が可能か否か、の確認（言い換えれば動画の表示先としてどこが使用できるかの特定）が行われる。これらの問い合わせ結果は集計されて、カラオケ装置１０から操作端末３０へと送信される（ステップＳＢ７）。
【００４３】
カラオケ装置１０から、メインディスプレイ１６Ａ及びサブディスプレイ１６Ｂの接続の問い合わせと回答（ステップＳＢ５及びステップＳＢ６）は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）で接続されていれば、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）の取得や、ＨＤＭＩで規定されるＣＥＣコマンドにより、各ディスプレイが操作端末３０からの動画の表示先として使用できるか確認すればよい。
【００４４】
また、リモコン６０がＬＡＮ（有線、又は無線ＬＡＮ）によってカラオケ装置１０と接続されているのであれば、ステップＳＢ４は、リモコン６０を識別する情報（ＩＰアドレス、ＭＡＣアドレスや製造番号など）の問い合わせと回答により、リモコン６０の表示領域の種類を特定し、操作端末３０からの動画の表示先として使用できるかを確認すればよい。
【００４５】
操作端末３０は、上記送信されてきた上記問い合わせ結果に基づき、その問い合わせ結果において動画表示可能となっている（正しくカラオケ装置１０と接続されている）ものを選択可能に一覧表示する（ステップＳＡ２）。図８に、操作端末３０の表示部３１において表示されたユーザ選択画面３１Ａを示す。このユーザ選択画面３１Ａの例では、上記メインディスプレイ１６Ａへの問い合わせ（上記ステップＳＢ６参照）、上記サブディスプレイ１６Ｂへの問い合わせ（上記ステップＳＢ５参照）、上記リモコン６０への問い合わせ（上記ステップＳＢ４参照）、において、それらすべてが「動画表示可能」との回答を送信してきた場合に対応している。すなわち、上記動画の表示先候補を表す、「メインディスプレイ（２分割表示）」ボタン３１ａと、「サブディスプレイ」ボタン３１ｂと、「リモコン」ボタン３１ｃと、の３つのボタンが、「現在、背景分離禁止曲の再生中です。動画をどこで表示しますか？」のメッセージ３１ｄとともに、表示されている。
【００４６】
図７に戻り、ユーザが動画をどこに表示させたいかに対応して、上記ボタン３１ａ〜ｃのいずれか１つを選択して操作すると、その操作選択結果が、カラオケ装置１０へと送信され、カラオケ装置１０により受け付けられる（ステップＳＡ３）。
【００４７】
その後、ユーザが操作端末３０を適宜に操作することにより、上記ＲＯＭ・ＲＡＭ・ＥＥＰＲＯＭ等に記憶されていた所望の動画データ（動画Ｄ１）が、操作端末３０からカラオケ装置１０へと送信され、カラオケ装置１０により取得される（ステップＳＡ４）。
【００４８】
その後、上記ステップＳＡ３で受け付けた選択結果でユーザが「メインディスプレイ（２分割表示）」ボタン３１ａを選択操作していた場合は、カラオケ装置１０において、ステップＳＢ８の判定が満たされる（ＳＢ８：Ｙｅｓ）。これにより、上記ステップＳＡ４で受信した動画データに基づき、前述した２画面への分割表示用の動画データが生成され、メインディスプレイ１６Ａへと送信される（ステップＳＢ９）。この結果、メインディスプレイ１６Ａは、この時点まで上記カラオケ楽曲の再生と共に表示していた背景分離禁止曲の背景映像（前述の例では背景映像Ｍ１。図４（ａ）参照）の表示に代えて、背景映像と動画とを含む２分割表示（前述の例では動画Ｄ１と背景映像Ｍ２。図４（ｂ）参照）の表示へと切り替える（ステップＳＣ２）。
【００４９】
また、上記ステップＳＡ３で受け付けた選択結果でユーザが「サブディスプレイ」ボタン３１ｂを選択操作していた場合は、カラオケ装置１０において、ステップＳＢ８の判定が満たされずにステップＳＢ１０の判定が満たされる（ＳＢ１０：Ｙｅｓ）。これにより、上記ステップＳＡ４で受信した動画データが、サブディスプレイ１６Ｂへと送信される（ステップＳＢ１１）。この結果、サブディスプレイ１６Ｂにおいて、上記動画（前述の例では動画Ｄ１。図５）参照）の表示が開始される（ステップＳＤ１）。なおこのとき、メインディスプレイ１６Ａでは、上記ステップＳＣ１で開始されている背景分離禁止曲に対応した背景映像（上記の例では背景映像Ｍ２）の表示が引き続き行われることとなる。
【００５０】
さらに、上記ステップＳＡ３で受け付けた選択結果でユーザが「リモコン」ボタン３１ｃを選択操作していた場合は、カラオケ装置１０において、ステップＳＢ８，ＳＢ１０の判定が満たされずにステップＳＢ１２の判定が満たされる（ＳＢ１２：Ｙｅｓ）。これにより、上記ステップＳＡ４で受信した動画データが、リモコン６０へと送信される（ステップＳＢ１３）。この結果、リモコン６０において、上記動画（前述の例では動画Ｄ１。図６）参照）の表示が開始される（ステップＳＥ１）。なおこのとき、メインディスプレイ１６Ａでは、上記同様、上記ステップＳＣ１で開始されている背景分離禁止曲に対応した背景映像（上記の例では背景映像Ｍ２）の表示が引き続き行われることとなる。
【００５１】
一方、前述のステップＳＢ２において、再生中のカラオケ楽曲が上記背景分離禁止曲でなく上記背景分離許容曲であった場合は、ステップＳＢ２の判定が満たされず、（上記ステップＳＢ３，ＳＢ４，ＳＢ５，ＳＢ６，ＳＢ７，ＳＡ３を経ることなく）、上記ステップＳＡ４で操作端末３０から送信された動画データがカラオケ装置１０により取得される。そして、カラオケ装置１０において、ステップＳＢ８，ＳＢ１０，Ｓ１２の判定が満たされずに、上記ステップＳＡ４で受信した動画データ（動画Ｄ１）が、そのままメインディスプレイ１６Ａへと送信される（ステップＳＢ１４）。この結果、メインディスプレイ１６Ａは、この時点まで上記カラオケ楽曲の再生と共に表示していた背景分離許容曲の背景映像（前述の例では背景映像Ｍ１。図３（ａ）参照）の表示に代えて、動画（前述の例では動画Ｄ１。図３（ｂ）参照）の表示へと切り替える（ステップＳＣ３）。
【００５２】
以上説明したように、この第１実施形態においては、カラオケ楽曲の再生中にユーザが所望の動画の再生リクエストを行うことで、上記再生中のカラオケ楽曲が背景分離禁止曲であるか背景分離許容曲であるかが判定される（ステップＳＢ２）。背景分離許容曲である場合には、その時点でメインディスプレイ１６Ａに表示されている背景映像Ｍ１に代え、取得されたユーザの所望の動画Ｄ１が表示される。
【００５３】
一方、上記背景分離禁止曲の場合には、既に表示されている背景映像Ｍ２を維持しつつ、別の表示領域（メインディスプレイ１６Ａの分割画面の半分領域、若しくはサブディスプレイ１６Ｂ、若しくはリモコン装置６０）において、上記取得された動画Ｄ１が表示される。これにより、再生するカラオケ楽曲が背景分離許容曲であっても背景分離禁止曲であっても、ユーザは、自らが所望する動画Ｄ１を表示させて楽しむことができる。この結果、ユーザにとっての利便性を向上することができる。
【００５４】
また、本実施形態では特に、動画を表示可能な領域として、メインディスプレイ１６Ａにおいて画面分割により振り分けられる領域、サブディスプレイ１６Ｂに備えられる表示領域、リモコン６０に備えられる表示領域、が用意されている。これにより、背景分離禁止曲の再生中において、メインディスプレイ１６Ａを画面分割することで新たに設けた表示領域か、サブディスプレイ１６Ｂか、リモコン６０か、において、ユーザの所望の動画Ｄ１を表示させることができる。
【００５５】
また、本実施形態では特に、動画を表示できる表示領域として、メインディスプレイ１６Ａの画面分割による表示領域、サブディスプレイ１６ｂの表示領域、リモコン６０の表示領域、のいずれを使用できるかが特定される（ステップＳＢ４，ＳＢ５，ＳＢ６参照）。これにより、上記のようにしてユーザの所望の動画を表示させる際に、どの表示領域が使用できるかを特定することができる。
【００５６】
また、本実施形態では特に、動画を表示する領域を、ボタン操作によりユーザが選択可能である（図８、ステップＳＡ２参照）。これにより、上記のようにしてユーザの所望の動画を表示させる表示領域の候補が複数あった場合に、どの表示領域を使用するかをユーザが選択することができる。
【００５７】
次に、本発明の第２実施形態を、図９〜図１１により説明する。本実施形態は、上記第１実施形態にてカラオケ楽曲の再生中（すなわちカラオケ楽曲の再生開始後）にユーザの所望の動画の転送と表示先の選択とを行ったのに代え、カラオケ楽曲の予約時（すなわちカラオケ楽曲の再生開始前）に上記動画転送及び表示先選択を行う実施形態である。第１実施形態と同等の部分には同一の符号を付し、適宜、説明を省略又は簡略化する。
【００５８】
本実施形態において、上記操作端末３０、カラオケ装置１０、メインディスプレイ１６Ａ、サブディスプレイ１６Ｂ、及びリモコン６０が協働して実行する処理の流れを、上記図７に対応する図９のシーケンス図に示す。なお、図示のシーケンスは、上記第１実施形態と同様、操作端末３０に備えられたＲＯＭ・ＲＡＭ・ＥＥＰＲＯＭ等（図示省略）に記憶された制御プログラムが操作端末３０のＣＰＵ（図示省略）で実行され、カラオケ装置１０の上記ＲＯＭ２３に記憶された制御プログラムが上記ＣＰＵ２１で実行され、さらにリモコン６０に備えられたＲＯＭ・ＲＡＭ・ＥＥＰＲＯＭ等（図示省略）に記憶された制御プログラム（動画表示制御プログラム）がリモコン６０のＣＰＵ（制御手段に相当。図示省略）で実行されることによって、行われる。
【００５９】
図９において、まず、上記図７と同様のステップＳＡ４において、ユーザが操作端末３０を適宜に操作することにより、上記ＲＯＭ・ＲＡＭ・ＥＥＰＲＯＭ等に記憶されていた所望の動画データ（動画Ｄ１）が、操作端末３０からカラオケ装置１０へと送信され、カラオケ装置１０により取得される（ステップＳＡ４）。この手順が各請求項記載の動画取得手順に相当し、この手順を実行するＣＰＵ２１が動画取得手段として機能する。
【００６０】
その後、上記図７と同様のステップＳＢ１４で、カラオケ装置１０において上記ステップＳＡ４で受信した動画データ（動画Ｄ１）が、メインディスプレイ１６Ａへと送信される。この結果、メインディスプレイ１６Ａは、この後のカラオケ楽曲の再生と共に表示する背景映像として、上記動画（前述の例では動画Ｄ１。図３（ｂ）参照）を表示するよう、セットされる（ステップＳＣ１′）。
【００６１】
このとき、リモコン６０装置において、操作者による適宜の操作によりカラオケ楽曲の検索及び選曲が行われ、予約操作がなされる（ステップＳＥ２）。図１０に、リモコン装置６０の表示部６１（表示手段に相当）において表示された予約画面６１Ａを示す。この予約画面６１Ａの例では、「君を感じて／桝田博」「瑠璃色の街／高坂誠」「忘れて〜君の涙は見たくない〜／山村登」「夢をふたりで／芦野牧子」の４曲が、選択可能なボタン６１ａ，６１ｂ，６１ｃ，６１ｄとして一覧表示され、またそれらの右下には選択後の予約操作用の「送信して予約」ボタン６１ｅが設けられている。例えば上記ボタン６１ａ，６１ｂ，６１ｃ，６１ｄのいずれかを操作して１曲を選択状態にした後、ボタン６１ｅを操作することで、当該選択曲の予約操作がなされる。
【００６２】
図９に戻り、このようにして行われた予約内容が、カラオケ装置１０へと送信され、受け付けられる。この手順が各請求項記載の予約受付手順に相当し、この手順を実行するＣＰＵ２１が予約受付手段として機能する。
【００６３】
その後、リモコン装置６０から、前述のメインディスプレイ１６Ａ、サブディスプレイ１６Ｂ等への接続確認（接続情報の取得）を依頼するための接続情報リクエストが、カラオケ装置１０へと送信され、受け付けられる（ステップＳＥ４）。
【００６４】
上記の後、カラオケ装置１０において、上記図７と同様のステップＳＢ２において、選曲されたカラオケ楽曲が上記背景分離禁止曲であるか、上記背景分離許容曲であるか否かが、判定される。なお、このステップＳＢ２が各請求項記載の楽曲判定手順に相当し、この手順を実行するＣＰＵ２１が楽曲判定手段として機能する。
【００６５】
予約されたカラオケ楽曲が前述したような背景分離禁止曲であった場合は、ステップＳＢ２の判定が満たされ、上記図７と同様のステップＳＢ４，ＳＢ５，ＳＢ６において、上記リモコン６０、上記サブディスプレイ１６Ｂ、上記メインディスプレイ１６Ａに対し（当該カラオケ装置１０と）正しく接続されている状態であるかの問い合わせが行われ、その回答が受信される。これらステップＳＢ４，ＳＢ５，ＳＢ６を実行するＣＰＵ２１が各請求項記載の特定手段として機能する。
【００６６】
その後、上記図７のステップＳＢ７と同様、上記ステップＳＢ５，ＳＢ６，ＳＢ７の問い合わせ結果が集計されて、カラオケ装置１０からリモコン装置６０へと送信される（ステップＳＢ７′）。リモコン装置６０は、上記送信されてきた上記問い合わせ結果に基づき、その問い合わせ結果において動画表示可能となっている（正しくカラオケ装置１０と接続されている）ものを、割り込みウィンドウＷ（後述の図１１参照）の形で選択可能に一覧表示する（ステップＳＥ５；選択画面表示手順に相当）。
【００６７】
図１１に、リモコン装置６０の上記表示部６１の上記予約画面６１Ａに割り込み表示された上記ウィンドウＷを示す。この例では、前述の図１０の予約画面６１Ａで選択された「忘れて〜君の涙は見たくない〜／山村登」の曲が上記背景分離禁止曲であった場合を示しており、上記メインディスプレイ１６Ａ、上記サブディスプレイ１６Ｂ、上記リモコン６０への問い合わせにおいて、それらすべてが「動画表示可能」との回答している。すなわち、ウィンドウＷ中に、上記動画の表示先候補を表す、「メインディスプレイ（２分割表示）」ボタン６１Ａと、「サブディスプレイ」ボタン６１Ｂと、「リモコン」ボタン６１ｃと、の３つのボタンが、「この曲は、背景分離禁止曲です。動画をどこで表示しますか？」のメッセージ６１Ｄとともに、表示されている。
【００６８】
図９に戻り、ユーザが動画をどこに表示させたいかに対応して、上記ボタン６１Ａ〜Ｃのいずれか１つを選択して操作すると、その操作選択結果が、カラオケ装置１０へと送信され（選択結果送信手順に相当）、カラオケ装置１０により受け付けられる（ステップＳＥ６）。なお、この手順を実行するＣＰＵ２１が各請求項記載の選択受付手段として機能する。
【００６９】
その後、上記ステップＳＥ６で受け付けた選択結果でユーザが「メインディスプレイ（２分割表示）」ボタン６１Ａを選択操作していた場合は、カラオケ装置１０において、上記図７と同様のステップＳＢ８の判定が満たされる（ＳＢ８：Ｙｅｓ）。これにより、上記ステップＳＡ４で受信した動画データに基づき、前述した２画面への分割表示用の動画データが生成され、メインディスプレイ１６Ａへと送信される（ステップＳＢ９）。この結果、メインディスプレイ１６Ａは、前述のステップＳＣ１′でセットされていた上記動画Ｄ１のみの表示設定をクリアし、それに代えて、背景映像と動画とを含む２分割表示（前述の例では動画Ｄ１と背景映像Ｍ２。図４（ｂ）参照）を行うよう、セット替えされる（ステップＳＣ２′）。
【００７０】
また、上記ステップＳＥ６で受け付けた選択結果でユーザが「サブディスプレイ」ボタン６１Ｂ又は「リモコン」ボタン６１Ｃを選択操作していた場合は、カラオケ装置１０において、ステップＳＢ８の判定が満たされず、メインディスプレイ１６Ａに対し、背景映像セット通知（背景映像自体のデータも含む）が送信される（ステップＳＢ１４′）。この結果、メインディスプレイ１６Ａは、前述のステップＳＣ１′でセットされていた上記動画Ｄ１のみの表示設定をクリアし、それに代えて、背景映像（前述の例では背景映像Ｍ２。図５、図６参照）を行うよう、セット替えされる（ステップＳＣ３′）。
【００７１】
その後、ユーザが「サブディスプレイ」ボタン６１Ｂを選択操作していた場合は、上記図７と同様のステップＳＢ１０の判定が満たされ（ＳＢ１０：Ｙｅｓ）、上記ステップＳＡ４で受信した動画データが、サブディスプレイ１６Ｂへと送信される（ステップＳＢ１１）。この結果、サブディスプレイ１６Ｂにおいて、上記動画（前述の例では動画Ｄ１。図５）参照）の表示が行われるよう、セットされる（ステップＳＤ１′）。
【００７２】
さらに、上記ステップＳＥ６で受け付けた選択結果でユーザが「リモコン」ボタン６１Ｃを選択操作していた場合は、カラオケ装置１０において、上記図７と同様、ステップＳＢ８，ＳＢ１０の判定が満たされずにステップＳＢ１２の判定が満たされる（ＳＢ１２：Ｙｅｓ）。これにより、上記ステップＳＡ４で受信した動画データが、リモコン６０へと送信される（ステップＳＢ１３）。この結果、リモコン６０において、上記動画（前述の例では動画Ｄ１。図６）参照）の表示が行われるよう、セットされる（ステップＳＥ１′）。
【００７３】
なお、上記ステップＳＢ１２の判定も満たされない場合（すなわち上記ステップＳＥ６で受け付けた選択結果でユーザが「メインディスプレイ（２分割表示）」ボタン６１Ａ、「サブディスプレイ」ボタン６１Ｂ、「リモコン」ボタン６１Ｃのいずれも選択操作していない場合は、ステップＳＢ１２の判定が満たされずステップＳＢ７′に戻り、いずれかのボタンを操作するまで、ステップＳＢ７′→ステップＳＥ５→ステップＳＥ６→ステップＳＢ８→ステップＳＢ１０→ステップＳＢ１２→・・が繰り返される（すなわち後述するカラオケ楽曲再生が始まらない）こととなる。この結果、ステップＳＢ１２を実行するＣＰＵ２１が、各請求項記載の再生制御手段として機能する。
【００７４】
一方、前述のステップＳＢ２において、予約されたカラオケ楽曲が上記背景分離禁止曲でなく上記背景分離許容曲であった場合は、ステップＳＢ２の判定が満たされず、（上記ステップＳＢ４，ＳＢ５，ＳＢ６，ＳＢ７′，ＳＥ５，ＳＥ６等を経ることなく）、上記ステップＳＣ１′でのメインディスプレイ１６Ａでの動画Ｄ１の表示のセットのままとなる。
【００７５】
以上のようにして、メインディスプレイ１６Ａ（及び、ユーザ選択に応じサブディスプレイ１６Ｂ又はリモコン１６Ｃのいずれか）の表示設定が終了した状態で、カラオケ装置１０において、図７と同様のステップＳＢ１において、カラオケ楽曲の再生が開始されると、これに連動してステップＳＭ１においてメインディスプレイ１６Ａ（及び、ユーザ選択に応じサブディスプレイ１６Ｂ又はリモコン１６Ｃのいずれか）において、この時点で設定済みの映像の表示が開始される。
【００７６】
なお、上記ステップＳＢ２，ＳＢ８，ＳＢ９，ＳＢ１４′，ＳＢ１０，ＳＢ１１，ＳＢ１２，ＳＢ１３，ＳＢ１４′が、各請求項記載の表示制御手順に相当し、これらを実行するＣＰＵ２１が表示制御手段として機能する。
【００７７】
以上のように構成したこの第２実施形態においても、前述の第１実施形態と同様の効果を得る。すなわち、リモコン装置６０においてユーザがカラオケ楽曲の予約を行ったとき、当該カラオケ楽曲が背景分離禁止曲であるか背景分離許容曲であるかが判定される（ステップＳＢ２）。背景分離許容曲である場合には、カラオケ楽曲の再生開始時に、取得されたユーザの所望の動画Ｄ１が表示されるよう、セットが行われる（ステップＳＣ１′）。
【００７８】
一方、上記背景分離禁止曲の場合には、既に表示されている背景映像Ｍ２を維持しつつ、別の表示領域（メインディスプレイ１６Ａの分割画面の半分領域、若しくはサブディスプレイ１６Ｂ、若しくはリモコン装置６０）において、上記取得された動画Ｄ１が表示されるよう、セットがなされる（ステップＳＣ２′，ＳＣ３′，ＳＤ１′，ＳＥ１′）。これにより、上記第１実施形態と同様、再生するカラオケ楽曲が背景分離許容曲であっても背景分離禁止曲であっても、ユーザは、自らが所望する動画Ｄ１を表示させて楽しむことができる。この結果、ユーザにとっての利便性を向上することができる。
【００７９】
また、本実施形態においても、上記第１実施形態と同様、背景分離禁止曲については、メインディスプレイ１６Ａを画面分割することで新たに設けた表示領域か、サブディスプレイ１６Ｂか、リモコン６０か、において、ユーザの所望の動画Ｄ１を表示させることができる。
【００８０】
また、本実施形態においても、上記第１実施形態と同様、上記のようにしてユーザの所望の動画を表示させる際に、どの表示領域が使用できるかを特定することができる。
【００８１】
また、本実施形態においても、上記第１実施形態と同様、ユーザの所望の動画を表示させる表示領域の候補が複数あった場合に、どの表示領域を使用するかをユーザが選択することができる。特に、その選択をしない限り、背景分離禁止曲であるカラオケ楽曲を再生できないようにすることができる（ステップＳＢ１２参照）。
【００８２】
なお、以上において、図７、図９等に示すシーケンスは本発明を図示の手順に限定するものではなく、発明の趣旨及び技術的思想を逸脱しない範囲内で手順の追加・削除又は順番の変更等をしてもよい。
【００８３】
また、以上既に述べた以外にも、上記実施形態や各変形例による手法を適宜組み合わせて利用しても良い。
【００８４】
その他、一々例示はしないが、本発明は、その趣旨を逸脱しない範囲内において、種々の変更が加えられて実施されるものである。
【符号の説明】
【００８５】
１                カラオケシステム
１６Ａ            メインディスプレイ
１６Ｂ            サブディスプレイ
１９              ミキシング回路（楽曲再生手段）
２０              スピーカ（楽曲再生手段）
２１              ＣＰＵ
２８              ＭＩＤＩ音源接続ボード（楽曲再生手段）
２９              音声制御回路（楽曲再生手段）
３０              操作端末
６０              リモコン装置（予約端末）
Ｄ１              動画
Ｍ１              背景映像
Ｍ２              背景映像
【図１】
0006579483.tif 000002
【図２】
0006579483.tif 000003
【図３】
0006579483.tif 000004
【図４】
0006579483.tif 000005
【図５】
0006579483.tif 000006
【図６】
0006579483.tif 000007
【図７】
0006579483.tif 000008
【図８】
0006579483.tif 000009
【図９】
0006579483.tif 000010
【図１０】
0006579483.tif 000011
【図１１】
0006579483.tif 000012